(57)【特許請求の範囲】
【請求項１】
並列した複数のレール部が形成されたリフト部内を前記レール部に沿って遊技球が揚送される遊技球揚送装置において、
前記遊技球が揚送される方向と交差する方向に開口された一側分岐口部、およびこの一側分岐口部の逆側に連ねられて開口された他側分岐口部、が形成された分岐部を有し、前記リフト部の頂上部に備えられて前記遊技球の流路を分岐する流路分岐器具と、
前記遊技球が揚送される方向から、揚送される方向と交差する方向に湾曲した湾曲ガイド部を有し、この湾曲ガイド部が前記一側分岐口部または前記他側分岐口部に備えられて前記遊技球の流路を誘導するガイド器具と、
が備えられた、
ことを特徴とする遊技球揚送装置。
【請求項２】
前記流路分岐器具が、並列した複数の前記一側分岐口部および他側分岐口部を有し、
前記ガイド器具が、並列した複数の前記湾曲ガイド部を有し、
隣接する前記一側分岐口部のそれぞれ、または隣接する前記他側分岐口部のそれぞれに前記湾曲ガイド部が備えられた、
ことを特徴とする請求項１に記載の遊技球揚送装置。
【請求項３】
前記ガイド器具が前記流路分岐器具から着脱可能である、
ことを特徴とする請求項１または請求項２に記載の遊技球揚送装置。
【請求項４】
並列した複数のレール部が形成されたリフト部内を前記レール部に沿って遊技球が揚送される方向と交差する方向に開口された一側分岐口部、または前記一側分岐口部の逆側に連ねられて開口された他側分岐口部に、前記遊技球が揚送される方向からこの方向と交差する方向に湾曲した湾曲ガイド部を有するガイド器具が備えられ、前記分岐部によって分岐された前記遊技球の流路が前記ガイド器具によって誘導される、
ことを特徴とする流路分岐器具。
【発明の詳細な説明】
【技術分野】
【０００１】
本発明は、遊技球を揚送する際に用いられる遊技球揚送装置、および流路分岐器具に関するものである。
【背景技術】
【０００２】
遊技球揚送装置は、遊技機からアウトした遊技球を再び遊技機へ供給するために遊技球を揚送するものである。この遊技球揚送装置は、複数の遊技機が並列することによって構成された遊技機島に取り付けられる。
【０００３】
一般的な遊技球揚送装置として、下記特許文献１に記載の遊技球揚上装置がある。この遊技球揚上装置は遊技機島の下部に取り付けられ、歯の間でパチンコ玉を支持して揚上パイプに送り出す主ホイール、およびパチンコ球を整列させて遊技機島の上部に揚上する揚上パイプが備えられている。この遊技球揚上装置によれば、各遊技機からアウトしたパチンコ玉が回収され、回転する主ホイールによって揚上パイプに搬送される。揚上パイプの頂上側では、揚上されたパチンコ球の流路が左右に分岐され、レールに沿って各遊技機に向けて搬送される。
【先行技術文献】
【特許文献】
【０００４】
【特許文献１】特開２００１−１９０８１６号公報
【発明の概要】
【発明が解決しようとする課題】
【０００５】
しかし、揚上パイプを通じて揚上されたパチンコ球の流路が分岐される際、流路が不規則であると各遊技機に供給される遊技球の流量が偏る。
【０００６】
本発明は、上記の実情に鑑みて提案されたものである。すなわち、遊技球の流路を誘導することで、遊技機に供給される遊技球の流量を制御することができる遊技球揚送装置、および流路分岐器具の提供を目的とする。
【課題を解決するための手段】
【０００７】
上記目的を達成するために、本発明に係る遊技球揚送装置は、並列した複数のレール部が形成されたリフト部内を前記レール部に沿って遊技球が揚送される遊技球揚送装置において、前記遊技球が揚送される方向と交差する方向に開口された一側分岐口部、およびこの一側分岐口部の逆側に連ねられて開口された他側分岐口部、が形成された分岐部を有し、前記リフト部の頂上部に備えられて前記遊技球の流路を分岐する流路分岐器具と、前記遊技球が揚送される方向から、揚送される方向と交差する方向に湾曲した湾曲ガイド部を有し、この湾曲ガイド部が前記一側分岐口部または前記他側分岐口部に備えられて前記遊技球の流路を誘導するガイド器具と、が備えられた、ことを特徴としている。
【０００８】
本発明に係る遊技球揚送装置は、前記流路分岐器具が、並列した複数の前記一側分岐口部および他側分岐口部を有し、前記ガイド器具が、並列した複数の前記湾曲ガイド部を有し、隣接する前記一側分岐口部のそれぞれ、または隣接する前記他側分岐口部のそれぞれに前記湾曲ガイド部が備えられた、ことを特徴としている。
【０００９】
本発明に係る遊技球揚送装置は、前記ガイド器具が前記流路分岐器具から着脱可能である、ことを特徴としている。
【００１０】
本発明に係る流路分岐器具は、並列した複数のレール部が形成されたリフト部内を前記レール部に沿って遊技球が揚送される方向と交差する方向に開口された一側分岐口部、または前記一側分岐口部の逆側に連ねられて開口された他側分岐口部に、前記遊技球が揚送される方向からこの方向と交差する方向に湾曲した湾曲ガイド部を有するガイド器具が備えられ、前記分岐部によって分岐された前記遊技球の流路が前記ガイド器具によって誘導される、ことを特徴としている。
【発明の効果】
【００１１】
本発明に係る遊技球揚送装置は上記した構成である。この構成により、揚送された遊技球は分岐部において流路が分岐され、ガイド器具の湾曲ガイド部に沿って一側分岐口部または他側分岐口部に流路が誘導される。したがって、遊技球の流量を一側分岐口部または他側分岐口部に任意に偏らせることで、各遊技機に供給される遊技球の流量を制御することができる。
【００１２】
本発明に係る遊技球揚送装置は、流路分岐器具が、並列した複数の一側分岐口部および他側分岐口部を有し、ガイド器具が、並列した複数の湾曲ガイド部を有し、隣接する一側分岐口部のそれぞれ、または隣接する他側分岐口部のそれぞれに湾曲ガイド部が備えられている。この構成により、分岐部は複数の一側分岐口部毎（または他側分岐口部毎）にガイド器具が備えられる。複数のガイド器具が用いられた場合、分岐部のうち一部には一側分岐口部にガイド器具が備えられ、その他の部分には他側分岐口部にガイド器具が備えられる。したがって、遊技球の流路を一側分岐口部と他側分岐口部とに分岐することができ、各遊技機に供給される遊技球の流量を制御することができる。
【００１３】
本発明に係る遊技球揚送装置は、ガイド器具が流路分岐器具から着脱可能である。この構成により、ガイド器具が一側分岐口部または他側分岐口部のいずれにも付けかえられる。したがって、いずれに分岐させるかを選択して遊技球の流量を容易に制御することができる。
【００１４】
本発明に係る流路分岐器具は上記した構成である。この構成により、分岐部で分岐された遊技球はガイド器具の湾曲ガイド部に沿って流路が誘導されて一側分岐口部または他側分岐孔部から排出される。したがって、遊技機に供給される遊技球の流量を制御することができる。
【図面の簡単な説明】
【００１５】
【図１】本発明の実施形態に係る遊技球揚送装置を示した平面透視図である。
【図２】本発明の実施形態に係る遊技球揚送装置を示した側面透視図である。
【図３】本発明の実施形態に係る遊技球揚送装置を示した正面透視図である。
【図４】本発明の実施形態に係る流路分岐器具を示し、（ａ）が平面図、（ｂ）が一側分岐口部側から視した正面図、（ｃ）が底面図、（ｄ）が他側分岐口部側から視した背面図、（ｅ）が側面図、および（ｆ）が側面Ａ−Ａ断面図である。
【図５】本発明の実施形態に係る流路分岐器具およびガイド器具を示し、（ａ）が一側分岐口部側から視した斜視図、（ｂ）が他側分岐口部から視した斜視図である。
【発明を実施するための形態】
【００１６】
以下に、本発明の実施形態に係る遊技球揚送装置１、および流路分岐器具２０を図面に基づいて説明する。図１、図２、および図３が本実施形態に係る遊技球揚送装置１を平面、側面、および正面から視した透視図であり、図４および図５が本実施形態に係る流路分岐器具２０を示した図である。
【００１７】
図１、図２、および図３において、本実施形態に係る遊技球揚送装置１は、回収された遊技球１１をリフト部３に送り出す送出部２、遊技球１１が揚送されるリフト部３、揚送された遊技球１１の流路が分岐される流路分岐部４、から構成されている。
【００１８】
送出部２は、遊技球１１をリフト部３に送り出すための駆動源となる駆動装置５、駆動装置５に取り付けられた駆動歯車６、ベルトを介して駆動装置５から動力が伝達される主歯車７、主歯車７と同軸に取り付けられたローラ８、ローラ８とで遊技球１１を挟んでリフト部３へ搬送するシュート９、から構成されている。リフト部３は並列した複数のレール部１０から構成されている。流路分岐部４は、ガイド器具３０が取り付けられた流路分岐器具２０によって構成されている。流路分岐器具２０はリフト部３の頂上部に取り付けられ、揚送される方向Ｙと交差する方向Ｘに遊技球１１の流路を分岐するものである。なお、その他の構成は一般的な遊技球揚送装置と同様であるため、説明が省略されている。
【００１９】
図４および図５において、流路分岐器具２０は、リフト部３の頂上部に取り付けられる連結部２１、連結部２１に連ねられた分岐部２３、から構成されている。
【００２０】
連結部２１は、リフト部３を通って揚送された遊技球１１が通過する複数の通路部２２が並列して形成されている。分岐部２３はほぼ箱型に形成され、遊技球１１が揚送される方向Ｙと交差する方向Ｘに開口された一側分岐口部２５、一側分岐口部２５の逆側に連ねられて開口された他側分岐口部２６を有している。分岐部２３の上面は、ガイド器具３０が取り付けられる際に用いられるビス孔２７が形成され、一方、内側の下面は各分岐口部２５，２６の縁に向けて傾斜し、板状の仕切り部２８が形成されている。仕切り部２８は連結部２１の通路部２２間に対応した位置に形成され、分岐部２３の内側の上面との間が空けられている。仕切り部２８と分岐部２３の内側の上面との間はガイド器具３０が取り付けられる被取付部２９である。仕切り部２８によって分割された一側分岐口部２５（他側分岐口部２６）と連結部２１の通路部２２とがほぼＴ字状に連ねられて流路部２４が形成されている（図４（ｆ）参照）。
【００２１】
ガイド器具３０は一側分岐口部２５または他側分岐口部２６に取り付けられて遊技球１１の流路を誘導するものである。ガイド器具３０はほぼコ字状に形成され、隣接する一側分岐口部２５同士また他側分岐口部２６同士に渡る大きさに形成された板状の基板部３１、基板部３１とほぼ直角であり基板部３１の両端に連ねられた一対の側板部３２、基板部３１の後端に形成された位置決め片部３３、から構成されている。基板部３１は分岐部２３に取り付けられる際に用いられるビス孔２７が形成されている。側板部３２は基板部３１の先端側に湾曲ガイド部３４が形成されている。湾曲ガイド部３４は、ガイド器具３０が分岐部２３に取り付けられた状態で、連結部２１から一側分岐口部２５または他側分岐口部２６に向けて湾曲している。すなわち、連結部２１に向けて遊技球１１が揚送される方向Ｙから、揚送される方向Ｙと交差する方向Ｘに湾曲している。
【００２２】
ガイド器具３０は流路分岐器具２０の分岐部２３に取り付けられる。詳説すれば、ガイド器具３０は基板部３１が分岐部２３の被取付部２９に挿入され、側板部３２が、隣接する一側分岐口部２５のそれぞれ、または隣接する他側分岐口部２６のそれぞれに挿入され、湾曲ガイド部３４が流路部２４に配置される。ガイド器具３０は位置決め片部３３が分岐部２３の縁に接触して挿入方向への移動が規制されて位置決めされる。ガイド器具３０は、基板部３１のビス孔２７が分岐部２３のビス孔２７に揃えられ、ビス１２によって分岐部２３に固定される。ガイド器具３０は、一側分岐口部２５のみ、他側分岐口部２６のみに取り付けられ、または各分岐口部２５，２６の両方に互い違いに取り付けられる。
【００２３】
なお、ガイド器具３０は基板部３１が、複数の一側分岐口部２５（他側分岐口部２６）に渡る大きさに形成され、これに応じて側板部３２が一側分岐口部２５（他側分岐口部２６）毎に形成されていてもよい。すなわち側板部３２の数が二以上であってもよい。
【００２４】
上記したガイド器具３０が取り付けられた流路分岐器具２０に揚送された遊技球１１は、ほぼＴ字状の流路部２４を通過して流路が分岐される。詳説すれば、遊技球１１は連結部２１の通路部２２を通過して分岐部２３で流路が分岐される。遊技球１１はガイド器具３０の湾曲ガイド部３４に沿って一側分岐口部２５または他側分岐口部２６に流路が誘導される。遊技球１１は、ガイド器具３０が一側分岐口部２５に取り付けられている場合、他側分岐口部２６から排出され、ガイド器具３０が他側分岐口部２６に取り付けられている場合、一側分岐口部２５から排出される。
【００２５】
以上のように遊技球揚送装置１、および流路分岐器具２０が構成されている。
【００２６】
次に、本実施形態の効果について説明する。
【００２７】
上記したように、本実施形態によれば、分岐部２３はほぼ箱型に形成され、遊技球１１が揚送される方向Ｙと交差する方向Ｘに開口された一側分岐口部２５、一側分岐口部２５の逆側に連ねられて開口された他側分岐口部２６を有している。分岐部２３の内側の下面は板状の仕切り部２８が形成されている。仕切り部２８によって分割された一側分岐口部２５（他側分岐口部２６）と連結部２１の通路部２２とがほぼＴ字状に連ねられて流路部２４が形成されている。ガイド器具３０はほぼコ字状に形成され、隣接する一側分岐口部２５同士また他側分岐口部２６同士に渡る大きさに形成された板状の基板部３１、基板部３１とほぼ直角であり基板部３１の両端に連ねられた一対の側板部３２を有している。側板部３２は基板部３１の先端側に湾曲ガイド部３４が形成されている。湾曲ガイド部３４は、ガイド器具３０が分岐部２３に取り付けられた状態で、連結部２１から一側分岐口部２５または他側分岐口部２６に向けて湾曲している。ガイド器具３０は基板部３１が分岐部２３の被取付部２９に挿入され、側板部３２が、隣接する一側分岐口部２５のそれぞれ、または隣接する他側分岐口部２６のそれぞれに挿入され、湾曲ガイド部３４が流路部２４に配置される。
【００２８】
この構成により、揚送された遊技球１１は連結部２１の通路部２２を通過して分岐部２３において流路が分岐され、ガイド器具３０の湾曲ガイド部３４に沿って一側分岐口部２５または他側分岐口部２６に流路が誘導される。したがって、遊技機（図示せず）に供給される遊技球１１の流量を制御することができる。
【００２９】
また、ガイド器具２０が上記した構成であるため、一つのガイド器具３０によって、隣接する二つの一側分岐口部２５または他側分岐口部２６を通過する遊技球１１の流路が誘導される。したがって、各分岐口部２５，２６にガイド器具３０を取り付ける際、作業を簡略化することができる。
【００３０】
本実施形態によれば、ガイド器具３０は、流路分岐器具２０の一側分岐口部２５のみ、他側分岐口部２６のみに取り付けられ、または各分岐口部２５，２６の両方に互い違いに取り付けられる。この構成により、分岐部２３は複数の一側分岐口部２５毎または他側分岐口部２６毎にガイド器具３０が備えられる。複数のガイド器具３０によれば、分岐部２３のうち一部には一側分岐口部２５にガイド器具３０が備えられ、その他の部分には他側分岐口部２６にガイド器具３０が備えられる。したがって、遊技球１１の流路を一側分岐口部２５と他側分岐口部２６とに分岐することができ、各遊技機に供給される遊技球１１の流量を制御することができる。
【００３１】
本実施形態によれば、ガイド器具３０は、基板部３１のビス孔２７が分岐部２３のビス孔２７に揃えられ、ビス１２によって分岐部２３に固定され、流路分岐器具２０から着脱可能である。この構成により、ガイド器具２０が一側分岐口部２５または他側分岐口部２６のいずれにも付けかえられる。したがって、いずれに分岐させるかを選択して遊技球１１の流量を容易に制御することができる。
【００３２】
なお、本発明の他の実施形態に係る遊技球揚送装置（図示せず）として、分岐部が仕切り部によって仕切られず、側板部および湾曲ガイド部が、レール部が並列する方向に向けて連ねられた面状の湾曲ガイド面であってもよい。この構成であっても、上記した実施形態と同様に、揚送された遊技球１１は連結部の通路部を通過して分岐部において流路が分岐され、ガイド器具の湾曲ガイド面に沿って一側分岐口部または他側分岐口部に流路が誘導される。したがって、遊技機に供給される遊技球１１の流量を制御することができる。
【００３３】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３４】
１                遊技球揚送装置
２                送出部
３                リフト部
４                流路分岐部
５                駆動装置
６                駆動歯車
７                主歯車
８                ローラ
９                シュート
１０              レール部
１１              遊技球
１２              ビス
２０              流路分岐器具
２１              連結部
２２              通路部
２３              分岐部
２４              流通路
２５              一側分岐口部
２６              他側分岐口部
２７              ビス孔
２８              仕切り部
２９              被取付部
３０              ガイド器具
３１              基板部
３２              側板部
３３              位置決め片部
３４              湾曲ガイド部
Ｙ                揚送される方向
Ｘ                交差する方向
【要約】
【課題】遊技球の流路を誘導することで、遊技機に供給される遊技球の量を制御することができる遊技球揚送装置、および流路分岐器具を提供する。
【解決手段】リフト部によって揚送された遊技球の流路を分岐する流路分岐器具２０をリフト部の頂上に取り付けて遊技球揚送装置を構成する。流路分岐器具２０は、遊技球が揚送される方向Ｙと交差する方向Ｘに一側分岐口部２５が開口され、一側分岐口部２５の逆側に連ねられて他側分岐口部２６が開口され、一側分岐口部２５または他側分岐口部２６に、遊技機の流路を誘導するガイド器具３０が取り付けられる。ガイド器具３０は、遊技球が揚送される方向Ｙから、揚送される方向Ｙと交差する方向Ｘに湾曲した湾曲ガイド部３４を有している。
【選択図】図５【図１】
0005534484.tif 000002
【図２】
0005534484.tif 000003
【図３】
0005534484.tif 000004
【図４】
0005534484.tif 000005
【図５】
0005534484.tif 000006